(57)【要約】【課題】  食事を摂らなかったり食事の分量を減らしたりする不健康なダイエット方法に代えて、リバウンドの心配などのない科学的で真に健康的なダイエットの実現が可能な食品を提供する。この際に身体の生命力や自然治癒力を活性化してダイエットに寄与し得る波動発生物質を利用する。【解決手段】  大豆タンパク質とγ−オリザノールと大豆ゲニステインとガルシニアとビタミンＢ群とから成り、且つ波動の転写が為されている。さらに波動が転写された状態にある、紫イペ、キャッツクロー、薫液、カルシウム、マグネシウム、茶葉抽出物、チャボトケイソウ、ホップエキス、イノシトールを含むものとすることが出来る。【選択図】  図１
0003108797.tif 000002
【実用新案登録請求の範囲】
【請求項１】
波動が転写された状態にある、大豆タンパク質とγ−オリザノールと大豆ゲニステインとガルシニアとビタミンＢ群と、を構成要素としていることを特徴とする波動ダイエット用の食品。
【請求項２】
さらに波動が転写された状態にある、紫イペとキャッツクローと薫液とカルシウムとマグネシウムと茶葉抽出物とチャボトケイソウとホップエキスとイノシトールと、を含んで成る請求項１に記載の波動ダイエット用の食品。
【請求項３】
粉末状または顆粒状を呈している請求項１または請求項２に記載の波動ダイエット用の食品。
【考案の詳細な説明】
【技術分野】
【０００１】  この考案は、従来のような不健康なダイエットではなく、真に健康的で効果的なダイエットを実践することが出来るようなダイエット用の食品に関するものである。
【背景技術】
【０００２】  近年ではダイエットを行なうことが一種のブームになっているが、その弊害も多く、大きな社会問題ともなっている。例えば食事を摂らないと言うダイエット法があるが、そもそも人体に必要な栄養を摂らないのであるから痩せて行くのは当然であるが、この方法は不健康極まりなくまた危険でもある。また例えばグルコマンナンなどの非消化性のゲル組成物を食べることによって、物理的に摂取量を制限して食事の分量を減らすと言うダイエット法がある。【０００３】  一方、特開２００１−３２１１２４は飲食することで自然治癒力を活性化ならしめ健康体を促進する健康促進食品であり、波動の作用を利用している点に最大の特徴を有する食品である。ここにも記載されているが、一般的に波動発生物質は身体の生命力や自然治癒力を活性化することが知られている。
【特許文献１】特開２００１−３２１１２４
【特許文献２】特開２００２−３５０４７５
【特許文献３】特開２００１−１４３２６２
【特許文献４】特許第２８９６０３０
【考案の開示】
【考案が解決しようとする課題】
【０００４】  さて上記ダイエット方法は何れも不健康なダイエットであると言うことが出来る。またこのような方法の実践にはリバウンドの心配などがある。しかしながらダイエットは多くの人にとって切実な問題でもある。【０００５】  従ってこの考案は、科学的で真に健康的なダイエットの実現が可能となるようなダイエット用の食品を提供することを課題とするものである。
【課題を解決するための手段】
【０００６】  上記課題の解決に先立ち当考案者は、上述のように身体の生命力や自然治癒力を活性化し得る波動発生物質をダイエットに利用することが出来るのではないかと言う知見を得た。すなわちこの考案の目的である真に健康的なダイエットを可能とする食品に対しては、身体の生命力や自然治癒力を活性化する波動の作用によってダイエットに寄与し得るのではないかと言う知見を得ることが出来たのである。そこで上述した課題は、波動が転写された状態にある、大豆タンパク質とγ−オリザノールと大豆ゲニステインとガルシニアとビタミンＢ群と、を構成要素としていることを特徴とする波動ダイエット用の食品とすることにより達成される。【０００７】  タンパク質はこの食品の主体であり、各種ホルモンの合成に必要なアミノ酸を供給する。またカロリーはあるものの脂肪にはならず腹の満足感に寄与する。このものはエネルギーを生み出す力となる。タンパク質には大豆由来のものや乳精由来のものや鶏卵由来のものなどが任意に利用可能である。γ−オリザノールは抗酸化作用があり、体温上昇を促し血流を良好にする。またγ−オリザノールは成長ホルモンを増やし老化を防止して若返りに効果があり、この結果リバウンドしなくなるのである。ゲニステインには女性系の癌、例えば乳癌の予防作用がある。また男女共にダイエットによる骨量の減少を予防する作用がある。【０００８】  ガルシニアには糖分から脂肪を合成して蓄積するメカニズムを阻害する作用がある。なおギムネマやバナバ茶で代替することが可能である。【０００９】  またビタミンを含むものとすることが出来る。より好ましくはビタミンＣ、ビタミンＢ１、ビタミンＢ２、ビタミンＢ６、ビタミンＢ１２、ナイアシン、パントテン酸である。ビタミンは他の栄養素の働きを円滑に進めるのに必要不可欠な物質であり、三大栄養素をエネルギーに変えるときに生じる種々の化学反応を助けるほか、タンパク質や無機質を体の構成物質として使うときに補佐する役目も担っており、いわば体の潤滑油といった役所である。水溶性ビタミンであるビタミンＣは全身の組織の強化に役立ち、ビタミンＢ群は健康維持の補佐役となる。より具体的にはビタミンＣは血管、骨、筋肉の形成に必要なコラーゲンの生成を促進し、免疫力を高め、日焼け予防や鉄の吸収を助ける働きがある。ビタミンＢ１はエネルギーを作り出す糖質の代謝に不可欠な物質であり、体を動かす事によって消費量も増え、精神の安定を保つ作用がある。ビタミンＢ２は目や皮膚、口・鼻の粘膜の健康を保ち、正常に機能するように作用し、成長促進や細胞の再生にも不可欠であり、体質を強化する役割がある。ビタミンＢ６はタンパク質や脂肪の吸収・代謝を助け、体内でのタンパク質合成に不可欠な物質であり、中枢神経系を正常に働かせる役割を担う。ビタミンＢ１２はタンパク質や核酸の代謝を助け成長を促進し、赤血球の生成を促し貧血を防ぐ。ナイアシンは細胞の代謝や遺伝子の修復し、インスリンの合成などに関与し、血液循環を良好なものとし、コレステロールを低下させる働きがある。またパントテン酸は糖分やタンパク質の代謝酵素・コエンザイムの材料となり、中枢神経の発達を促し、副腎皮質の働きを強化し、解毒作用を現ずる。【００１０���  このような材料を組み合わせ、波動を転写して成り、上述したような作用を現ずる食品はこれまでにはない新規なものである。すなわち血流を良好にし若々しさを取り戻させて身体を活性化させ、体に必要なカロリーを与えはするものの、脂肪にはならず腹に満足感を与えるため、健康的なダイエットに成功するのである。身体の生命力や自然治癒力を活性化する波動はダイエットに寄与し、さらに健康を増進させてくれるのである。【００１１】  この波動ダイエット用の食品を、例えば一食分の食事と置き換えるのである。あるいは粉末状のもの、また顆粒状のものとしておき、好みのジュースやスープなどに混ぜたり料理に加えて摂るようにすることが出来る。またレトルト食品に混入させたり、アイスクリームとして提供することも可能である。また菓子の形態でスティック状のものとすることが出来る。また人用の食品に限ることなく、ペットフードとしても提供し得る。【００１２】  なお更に波動が転写された状態にある、紫イペ、キャッツクロー、薫液、カルシウム、マグネシウム、茶葉抽出物，チャボトケイソウ、ホップエキス、イノシトールを含むものとしても良い。紫イペやキャッツクローには免疫力を高める作用がある。薫液例えば木酢液にはこれに含まれるポリフェノールの抗酸化作用があり、活性酸素の発生を抑えて生活習慣病や各種疾病に対する抵抗力を高める。カルシウムやマグネシウムは骨密度の増加に資する。茶葉抽出物やチャボトケイソウやホップエキスには精神を安定させてメンタルな飢餓感を癒す作用がある。イノシトールは神経系を正常な状態に保つ作用があり、正に神経のビタミン的な役割を果たす。このようにして身体的な面からも精神的な面からもダイエットを成功に導くのである。【００１３】  なおこのものの提供形態として、粉末状または顆粒状を呈しているものとすると使い勝手が良い。
【考案の効果】
【００１４】  この波動ダイエット用の食品は、栄養のあるものとしてきちんと食べる性質のものであると共に脂肪の蓄積を阻害することが出来、またこの食品から発生する波動はダイエットに寄与し更に健康を増進させると言う、真に健康的な食品であり、リバウンドすることなくダイエットを成功に導くことが可能である。このような波動ダイエット食品は正に画期的なものであり、これまでにはないものであった。
【考案を実施するための最良の形態】
【００１５】  第１実施形態
図１乃至図３はこの考案の第１実施形態を表わす。この実施形態の波動ダイエット用の食品は図１および図２で表わすように、大豆タンパク質１０とγ−オリザノール１１と大豆ゲニステイン１２とガルシニアｌ３とビタミンＢ群１４との混合物としての粉末状食品１である（図１）。この混合物は発振器８１の照射管８２からの変調パルスの照射を受けて、良い波動が転写されて成るものである。なお発振器８１は制御回路８によって制御される発振回路８０に接続されているが（図２）、この装置はこの考案の必須要件ではない。【００１６】  この粉末状食品１の用い方であるが、例えば図３で示すように朝食と夕食とを通常通り食べる一方で、昼食の代わりにこの粉末状食品１を摂取するようにするのである。牛乳やヨーグルトやジュースなどに混ぜて食べるようにする。これで一日に必要な食事を終えるのであるが、昼食に関してはこの考案の粉末状食品１によって栄養が取れ、脂肪の蓄積が阻害され、満腹感を得ることが出来るのである。と同時にこの粉末状食品２から発生する波動は上述したようにダイエットに寄与し、更に健康を増進させる。このようであるからこの実施形態の粉末状食品２はリバウンドの心配のない健康的な波動ダイエット食品なのである。【００１７】  この粉末状食品１は、味噌汁や中華スープなどに混入出来る他、アイスクリームなどに練り込むことも可能である。また各種料理に加えることも出来る。【００１８】  第２実施形態
次に図４乃至図６はこの考案の第２実施形態の説明図である。このものは上述した第１実施形態のものにさらに紫イペ、キャッツクロー、薫液、カルシウム、マグネシウム、茶葉抽出物、チャボトケイソウ、ホップエキス、イノシトールを混入して成る（図５）。これ等は上述したように身体的な面からも精神的な面からもダイエットを成功に導くのに有効な成分である。【００１９】  この考案の必須要件ではないところの磁気処理部は図４で示された通り、第１のコイル９１及び第２のコイル９２に電力を供給するための電源供給回路９と、直流電力をどのように供給するかを制御するための制御回路９０と、から成る。第１のコイル９１と第２のコイル９２とは各々物体を置くことが出来ると共に、ほぼ共通の磁力線Ｇの通り道と成るように並設されている。従って制御回路９０が第１のコイル９１に通電するとこの第１のコイル９１に生ずる磁気Ｇが第１の物体Ｓと第２の物体２とに作用し、つづけて第２のコイル９２に通電するとこの第２のコイル９２に生ずる磁気Ｇが第１の物体Ｓと第２の物体２とに作用することに成る。この際に第１のコイル９１への通電の後は第１のコイル９１への通電を遮断し、その後第２のコイル９２への通電を開始するように設定されている。またこの通電パターンを設定回数だけ繰り返して行なうように設計されている。なお第２のコイル９２の上に置かれる第２の物体２は波動ダイエット食品である振り掛け容器入り食品２そのものである。【００２０】  第１のコイル９１に生ずる磁気や第２のコイル９２に生ずる磁気の中に第１の物体Ｓと第２の物体２（波動ダイエット食品）とを同時に置くと、第１の物体Ｓの磁気的特性によって第２の物体２に影響をもたらすのである。このことを波動転写と称しているが、第２の物体２に良い波動を転写することで、もしもそれが悪い波動を有していたとしても、悪い波動を消去して艮い波動を保持させることが出米る。あるいは元々艮い波動を有している場合では、この波動をさらに強化することが出来るのである。なお身体の生命力や自然治癒力を活性化するものが総じて良い波動であると定義することが出来る。【００２１】  なお図６で表わした振り掛け容器入り食品２は上述した混合物を振り掛け容器に納めたものであって、この振り掛け容器の頂部は開孔部２１のある蓋部２０が被冠している。この容器に納める混合物は、粉末状であっても、顆粒状であってもよい。【００２２】  第３実施形態
次に図７によってこの実施形態のタブレット状食品３を説明する。このものは上述した第２実施形態の混合物をタブレット状に固めて成るものである。従ってこのまま口に入れて食べることが出来る。【００２３】  第４実施形態
次に図８によりこの実施形態のペレット状食品４を説明する。このものは上述した第２実施形態の混合物をペレット状に固めて成るものであり、ペットフードとしての提供を前提とした食品である。すなわちこれはペット用波動ダイエット食品なのである。なおこのペレット状食品４に、ペットの健胃、整腸、解毒用の胆汁エキスなどを混入させることも可能である。また消臭剤をスプレーするなども可能である。
【産業上の利用可能性】
【００２４】  なおこの考案は上述した実施形態にのみ限定されず、缶詰やレトルト食品などに混入して提供するような形態が考えられる。
【図面の簡単な説明】
【００２５】
【図１】  第１実施形態の説明図である。
【図２】  同実施形態の説明図である。
【図３】  同実施形態の使用状態説明図である。
【図４】  第２実施形態の説明図である。
【図５】  同実施形態の説明図である。
【図６】  同実施形態の斜視図である。
【図７】  第３実施形態の斜視図である。
【図８】  第４実施形態の斜視図である。
【符号の説明】
【００２６】  １    粉末状食品
１０  大豆タンパク質
１１  γ−オリザノール
１２  大豆ゲニステイン
１３  ガルシニア
１４  ビタミンＢ群
２    振り掛け容器入り食品
２０  蓋部
２１  蓋部
３    タブレット状食品
４    ペレット状食品
【図１】
0003108797.tif 000003
【図２】
0003108797.tif 000004
【図３】
0003108797.tif 000005
【図４】
0003108797.tif 000006
【図５】
0003108797.tif 000007
【図６】
0003108797.tif 000008
【図７】
0003108797.tif 000009
【図８】
0003108797.tif 000010
【手続補正書】
【提出日】平成16年12月17日(2004.12.17)
【手続補正１】
【補正対象書類名】実用新案登録請求の範囲
【補正対象項目名】全文
【補正方法】変更
【補正の内容】
【実用新案登録請求の範囲】
【請求項１】
波動が転写された状態にある、大豆タンパク質とγ−オリザノールと大豆ゲニステインとガルシニアとビタミンＢ群とを構成要素とする、更に好ましくは波動が転写された状態にある、紫イペとキャッツクローと薫液とカルシウムとマグネシウムと茶菓抽出物とチャボトケイソウとホップエキスとイノシトールとを含んだ、粉末組成物をタブレット、スティックまたはペレットに形成して成る波動ダイエット用の食品。
【請求項２】
波動が転写された状態にある、大豆タンパク質とγ−オリザノールと大豆ゲニステインとガルシニアとビタミンＢ群とを構成要素とする、更に好ましくは波動が転写された状態にある、紫イペとキャッツクローと薫液とカルシウムとマグネシウムと茶葉抽出物とチャボトケイソウとホップエキスとイノシトールとを含んでいる、粉末状または顆粒状の組成物を開封可能な容器に納めて成る波動ダイエット用の食品入り容器。
【手続補正３】
【補正対象書類名】明細書
【補正対象項目名】０００６
【補正方法】変更
【補正の内容】
【０００６】  上記課題の解決に先立ち当考案者は上述のように身体の生命力や自然治癒力を活性化し得る波動発生物質をダイエットに利用することが出来るのではないかと言う知見を得た。すなわちこの考案の目的である真に健康的なダイエットを可能とする食品に対しては、身体の生命力や自然治癒力を活性化する波動の作用によってダイエットに寄与し得るのではないかと言う知見を得ることが出来たのである。そこで上述した課題は、波動が転写された状態にある、大豆タンパク質とγ−オリザノールと大豆ゲニステインとガルシニアとビタミンＢ群とを構成要素とする、更に好ましくは波動が転写された状態にある、紫イペとキャッツクローと薫液とカルシウムとマグネシウムと茶葉抽出物とチャボトケイソウとホップエキスとイノシトールとを含んだ、粉末組成物をタブレット、スティックまたはペレットに形成して成る波動ダイエット用の食品とすることにより達成される。また上記課題は、波動が転写された状態にある、大豆タンパク質とγ−オリザノールと大豆ゲニステインとガルシニアとビタミンＢ群とを構成要素とする、更に好ましくは波動が転写された状態にある、紫イペとキャッツクローと薫液とカルシウムとマグネシウムと茶葉抽出物とチャボトケイソウとホップエキスとイノシトールとを含んでいる、粉末状または顆粒状の組成物を開封可能な容器に納めて成る波動ダイエット用の食品入り容器とすることにより達成される。
【手続補正４】
【補正対象書類名】明細書
【補正対象項目名】００１１
【補正方法】変更
【補正の内容】
【００１１】  この波動ダイエット用の食品を、例えば一食分の食事と置き換えるのである。粉末状のものや顆粒状のものは好みのジュースやスープなどに混ぜたり料理に加えて摂るようにすることが出来る。またレトルト食品に混入させたり、アイスクリームとして提供することも可能である。また菓子の形態でスティック状のものとすることが出来る。また人用の食品に限ることなく、ペットフードとしても提供し得る。
【手続補正５】
【補正対象書類名】明細書
【補正対象項目名】００１５
【補正方法】変更
【補正の内容】
【００１５】  第１実施形態
図１乃至図３はこの考案の第１実施形態を表わす。この実施形態の波動ダイエット用の食品は図１および図２で表わすように、大豆タンパク質１０とγ−オリザノール１１と大豆ゲニステイン１２とガルシニア１３とビタミンＢ群１４との混合物としての粉末状食品１である（図１）。この混合物は発振装置８１の照射部８２からの変調パルスの照射を受けて、良い波動が転写されて成るものである。なお発振装置８１は制御回路８によって制御される発振回路８０に接続されているが（図２）、この装置はこの考案の必須要件ではない。
【手続補正６】
【補正対象書類名】図面
【補正対象項目名】図２
【補正方法】変更
【補正の内容】
【図２】
0003108797.tif 000011